(57)【要約】【課題】  ひび割れ誘発溝を必要としない新たなひび割れ誘発目地構造及びそれに利用される化粧目地部材を提供する。【解決手段】  ひび割れ誘発目地構造２０は、コンクリート構造物１０の内部に配置されるひび割れ誘発部材２２と、コンクリート構造物の表面近傍に配置される化粧目地部材２４を有し、ひび割れ誘発部材と化粧目地部材の間にひび割れ４６を誘発するものである。そして、化粧目地部材は、コンクリート構造物の表面に沿って配置されるとともに、型枠１６と面接触する型枠接触面３６と、型枠接触面を有する本体部３２と、本体部からひび割れ誘発部材のひび割れ誘発部４４に向かって「ハ」字状に伸びる２つの脚部３４を有する。【選択図】図２
2006052549.tif 000002
【特許請求の範囲】
【請求項１】
コンクリート構造物の内部に配置されるひび割れ誘発部材と、上記コンクリート構造物の表面近傍に配置される化粧目地部材を有し、上記ひび割れ誘発部材と上記化粧目地部材の間にひび割れを誘発するひび割れ誘発目地構造に利用される上記化粧目地部材であって、
上記化粧目地部材は、
（ａ）上記コンクリート構造物の表面に沿って配置されるとともに、上記コンクリート構造物のコンクリート打設時に上記コンクリート構造物の表面に接して配置される型枠と面接触する型枠接触面と、
（ｂ）上記型枠接触面を有する本体部と、
（ｃ）上記本体部から上記ひび割れ誘発部材のひび割れ誘発部に向かって「ハ」字状に伸びる２つの脚部を有することを特徴とする化粧目地部材。
【請求項２】
上記本体部は、上記型枠接触面の両縁部からそれぞれ上記コンクリート構造物の内側に向かって伸びる側面を有し、
上記側面の上記両縁部に隣接する表面部分は、上記本体部の内側に向かって窪んだ曲面で形成されていることを特徴とする請求項１に記載の化粧目地部材。
【請求項３】
上記本体部は、上記化粧目地部材を上記型枠に固定するための固定具を上記本体部から上記型枠に打ち込む際に上記固定具の先端を位置決めする窪みを有することを特徴とする請求項１に記載の化粧目地部材。
【請求項４】
上記窪みが上記曲面に形成されていることを特徴とする請求項３に記載の化粧目地部材。
【請求項５】
コンクリート構造物の内部に配置されるひび割れ誘発部材と、上記コンクリート構造物の表面に配置される化粧目地部材を有し、上記ひび割れ誘発部材と上記化粧目地部材の間にひび割れを誘発するひび割れ誘発目地構造であって、
上記化粧目地部材が、
（ａ）上記コンクリート構造物の表面に沿って配置されるとともに、上記コンクリート構造物のコンクリート打設時に上記コンクリート構造物の表面に接して配置される型枠の内面と面接触する型枠接触面と、
（ｂ）上記型枠接触面を有する本体部と、
（ｃ）上記本体部から上記ひび割れ誘発部材のひび割れ誘発部に向かって「ハ」字状に伸びる２つの脚部を有することを特徴とするひび割れ誘発目地構造。
【請求項６】
上記「ハ」字状に伸びる２つの脚部の末端は、上記ひび割れ誘発部材のひび割れ誘発部から上記コンクリート構造物の表面に向かって下ろした垂線を中心として約４５度の角度をもって広がる領域の外側に突出していることを特徴とする請求項５に記載のひび割れ誘発目地構造。
【発明の詳細な説明】
【技術分野】
【０００１】
本発明は、コンクリート構造物の目的の場所にひび割れを誘発させるひび割れ誘発目地構造及び該誘発目地構造に利用される化粧目地部材に関する。
【背景技術】
【０００２】
一般に、コンクリート構造物はコンクリートを打ち継いで構築される。例えば、図５に示すコンクリート構造物１００の場合、まず底版コンクリート１０２を打設し、次に該底版コンクリート１０２の上に側壁コンクリート１０４を打設する。この場合、コンクリートの収縮率は経時的に変化し、コンクリート打設直後の収縮率は、コンクリート打設から数日を経過した時点の収縮率よりも大きい。そのため、後に打設された側壁コンクリート１０４の収縮変形が先に打設された底版コンクリート１０２によって拘束され、側壁コンクリート１０４に大きな内部応力が発生して該側壁コンクリート１０４にひび割れが発生する。このようなひび割れは、コンクリート内部に進入する水の通路となり、コンクリートの内部に配置されている鉄筋の腐食やコンクリート構造物の強度低下を招来する原因となる。しかし、このようなひび割れの発生自体を防止することは極めて困難と考えられる。したがって、近年は、ひび割れ自体の発生を防止することに代えて、コンクリート構造物の中でひび割れが発生しても強度や耐久の点で問題が無い箇所に集中的にひび割れを発生させるひび割れ誘発技術が提案されている。
【０００３】
このひび割れ誘発技術として、図６に示すように、コンクリート構造物１００の表面１０６から所定の被りをとって配置された鉄筋１０８ａ、１０８ｂの外側にひび割れ誘発部材１１０を取り付けることが提案されている（特許文献１）。このひび割れ誘発部材１１０は、コンクリート表面１０６に向かって突出した∧形状のひび割れ誘発部１１２を備えており、このひび割れ誘発部１１２の先端角部をコンクリート表面１８に形成されたひび割れ誘発溝１１４（図５参照）に対向させて配置される。その結果、コンクリートの収縮応力がひび割れ誘発部１１２の先端角部とひび割れ誘発溝１１４の間の薄肉部分に集まり、図７に示すように、ひび割れ誘発部１１２の先端角部とひび割れ誘発溝１１４との間にひび割れ１１６を誘発する。
【特許文献１】特許２８６８９９４号公報
【発明の開示】
【発明が解決しようとする課題】
【０００４】
しかしながら、このようなひび割れ誘発技術では、コンクリート打設後、コンクリート表面１０６に残るひび割れ誘発溝１１４を適当な材料（例えば、シーリング材、樹脂モルタル等）で埋めなければならない。また、ひび割れ１１６は、ひび割れ誘発部１１２の先端からコンクリート表面１０６に下ろした垂線を中心とする４５度の領域１１８内に発生すると考えられることから、ひび割れ誘発溝１１４は領域１１８を完全に含む大きさにしなければならない。そのため、ひび割れ誘発溝１１４の処理に多くの材料、時間及び労力を要するという問題がある。
【課題を解決するための手段】
【０００５】
そこで、本発明は、ひび割れ誘発溝を必要としない新たなひび割れ誘発目地構造及びそれに利用される化粧目地部材を提供することを目的とする。
【０００６】
この目的を達成するため、本発明は、
コンクリート構造物（１０）の内部に配置されるひび割れ誘発部材（２２）と、コンクリート構造物（１０）の表面近傍に配置される化粧目地部材（２４）を有し、ひび割れ誘発部材（２２）と化粧目地部材（２４）の間にひび割れ（４６）を誘発するひび割れ誘発目地構造（２０）に利用される化粧目地部材（２４）であって、
化粧目地部材（２４）は、
（ａ）コンクリート構造物（１０）の表面に沿って配置されるとともに、コンクリート構造物（１０）のコンクリート打設時にコンクリート構造物（１０）の表面に接して配置される型枠（１６）と面接触する型枠接触面（３６）と、
（ｂ）型枠接触面（３６）を有する本体部（３２）と、
（ｃ）本体部（３２）からひび割れ誘発部材（２２）のひび割れ誘発部（４４）に向かって「ハ」字状に伸びる２つの脚部（３４）を有することを特徴とする。
【０００７】
この化粧目地部材において、本体部（３２）は、型枠接触面（３６）の両縁部からそれぞれコンクリート構造物（１０）の内側に向かって伸びる側面（３８）を有し、
側面（３８）の両縁部に隣接する表面部分は、本体部（３２）の内側に向かって窪んだ曲面（４０）で形成することが好ましい。
【０００８】
また、本体部（３２）は、化粧目地部材（２４）を型枠（１６）に固定するための固定具（例えば、釘）を本体部（３２）から型枠（１６）に打ち込む際に該固定具の先端を位置決めする窪み（４２）を有することが好ましい。
【０００９】
さらに、窪み（４２）は曲面（４０）に形成されていることが好ましい。
【００１０】
本発明はまた、コンクリート構造物（１０）の内部に配置されるひび割れ誘発部材（２２）と、コンクリート構造物（１０）の表面近傍に配置される化粧目地部材（２４）を有し、ひび割れ誘発部材（２２）と化粧目地部材（２４）の間にひび割れ（４６）を誘発するひび割れ誘発目地構造（２０）に関し、
化粧目地部材（２４）が、
（ａ）コンクリート構造物（１０）の表面に沿って配置されるとともに、コンクリート構造物（１０）のコンクリート打設時にコンクリート構造物（１０）の表面に接して配置される型枠（１６）の内面と面接触する型枠接触面（３６）と、
（ｂ）型枠接触面（３６）を有する本体部（３２）と、
（ｃ）本体部（３２）からひび割れ誘発部材（２２）のひび割れ誘発部（４４）に向かって「ハ」字状に伸びる２つの脚部（３４）を有することを特徴とする。
【００１１】
このひび割れ誘発目地構造（２０）において、「ハ」字状に伸びる２つの脚部（３４）の末端は、ひび割れ誘発部材（２２）のひび割れ誘発部（４４）からコンクリート構造物（１０）の表面に向かって下ろした垂線を中心として約４５度の角度をもって広がる領域（４８）の外側に突出していることが好ましい。
【発明の効果】
【００１２】
このような構成を備えた化粧目地部材及び該化粧目地部材を備えたひび割れ誘発目地構造によれば、コンクリート構造物の表面にひび割れ誘発溝が存在しない。そのため、従来のひび割れ誘発構造では、コンクリート表面に形成されたひび割れ誘発溝を埋めるために多くの労力を要していたが、本発明によればこのような仕上げ処理が不要になる。
【発明を実施するための最良の形態】
【００１３】
以下、添付図面を参照して本発明の複数の形態を説明する。なお、以下の説明では、発明の理解を容易にするために、図面に表された各部を説明する際に「上」、「下」、「右」、「左」及びそれらの用語を含む別の用語を用いるが、これらの用語の意味によって発明の技術的範囲が限定されるものでない。また、複数の実施形態において、同一の部分には同一の符号を付して重複した説明は省略する。
【実施形態】
【００１４】
図１は、実施形態１に係るひび割れ誘発構造及びそこに採用されている化粧目地部材を示す断面図である。図において、コンクリート構造物１０は、コンクリート１２からなる構造部分（例えば、壁、床、天井、柱、屋根）であり、コンクリート技術の分野では周知のとおり、縦方向又は横方向若しくは縦横両方向に配置された鉄筋１４（縦筋１４ａ、横筋１４ｂ）を一対の対向する型枠１６で挟み、これら対向する型枠１６の間にコンクリート１２を打設して構築される（図面を簡略化するため、図１から型枠は削除されているが、型枠の位置する場所が符号１６で示してある。）。コンクリート技術の分野では周知のとおり、型枠１６と鉄筋１４は適宜セパレータ（図示せず）によって相互に連結され、型枠１６と鉄筋１４の間に必要なスペース（後に被りとなるスペース）が確保される。
【００１５】
実施形態において、コンクリート構造物１０は対向する一対のコンクリート表面１８を備えており、それぞれの表面近傍に鉄筋１４が配置されており、それぞれのコンクリート表面１８とこれに隣接する鉄筋１４との間にひび割れ誘発構造２０が配置されている。
【００１６】
ひび割れ誘発構造２０は、鉄筋１４に固定されるひび割れ誘発部材２２と、ひび割れ誘発部材２２に対向してコンクリート表面近傍に配置される化粧目地部材２４からなる。これらひび割れ誘発部材２２と化粧目地部材２４は、縦筋１４ａと平行に伸びる細長い部材で、長手方向の任意の位置における横断面が図示する形状を有する。
【００１７】
図２に示すように、ひび割れ誘発部材２２は、横断面が略∧形状の本体部２６と、この本体部２６の両脚先端から逆方向に（図面の左右方向に）伸びる固定フランジ部２８を一体的に有する。このひび割れ誘発部材２２は、型枠内に打設されるコンクリートの衝撃によって変形しない強度を有する材料又は変形してもコンクリートの圧力に対抗してもとの形状に回復する弾性を有する、金属、硬質ゴム、硬質プラスチックで形成することが好ましい。また、ひび割れ誘発部材２２の表面、特に、∧形状本体部２６の外側表面は、コンクリートに密着する高分子材料の粘着層を有することが好ましい。この粘着層の材料としては、例えば、ブチルゴム製の粘着剤が好適に利用できる。
【００１８】
化粧目地部材２４は、コンクリート表面１８からその内部に向かって伸びる本体部３２と、本体部３２の内側末端部から内方に且つ外側に向かって斜めに「ハ」字状に伸びる２つの脚部３４を有する。この化粧目地部材２４は、ひび割れ誘発部材２２と同様に、型枠内に打設されるコンクリートの衝撃によって変形しない強度を有する材料又は変形してもコンクリートの圧力に対抗してもとの形状に回復する弾性を有する、金属、硬質ゴム、硬質プラスチックで形成することが好ましい。
【００１９】
コンクリート表面側の本体部３２の末端部は、コンクリート表面１８を形成する型枠表面に接触する表面部分（型枠接触面３６）を有する。また、型枠接触面３６の両縁端から内方に伸びる側面３８は、型枠接触面３６の近傍表面部分に、型枠接触面３６の両縁端を始端とする、内側に向かって窪んだ曲面４０を有する。
【００２０】
実施形態では、曲面４０の略中央部には窪み４２が形成されている。窪み４２は、横断面が略Ｖ字形状に形成されているが、半円形状、四角形状であってもよい。また、化粧目地部材２４が射出成形で形成される場合、この窪み４２は長手方向に連続していることが好ましいが、他の成形方法を採用する場合、窪み４２は不連続であってもよい。
【００２１】
図示するように、２つの脚部３４は本体部３２を中心として左右対称に配置されていることが好ましいが、この点は本発明にとって必須のことではない。さらに、実施形態において、脚部３４の開き角θは約９０度であるが、この角度は限定的ではない。さらにまた、実施形態において、脚部３４の末端は断面円形としてあるが、この点も本発明にとって必須のことではない。
【００２２】
このように構成されたひび割れ誘発部材２２と化粧目地部材２４は、コンクリート１２の打設前に、鉄筋１４と型枠１６に対して以下のように取り付けられる。例えば、ひび割れ誘発部材２２は、既に組み立てられた鉄筋１４に対し、フランジ部２８に形成された貫通孔（図示せず）に挿通した結束線を鉄筋に縛り付けて固定される。また、化粧目地部材２４は、本体部３２の型枠接触面３６を型枠１６の内面に当て、曲面４０に形成されている窪み４２から型枠１６に向かって固定手段である無頭釘（図示せず）を打ち込み、型枠１６に固定される。このとき、固定手段の先端が窪み４２で位置決めされるので、容易に固定手段を打ち込むことができる。そして、化粧目地部材２４を取り付けた型枠１６を鉄筋１４に対して建て付ける。鉄筋１４に対して型枠１６を建て付ける際、化粧目地部材２４の本体部３２をひび割れ誘発部材２２の∧状本体部２６に対向させる。また、化粧目地部材２４の両脚部３４とひび割れ誘発部材２２との間には、それらの間にコンクリート１２が流れ込むために必要な隙間が確保される。さらに、図２に示すように、ひび割れ誘発部材２２の∧状本体部先端（ひび割れ誘発部４４）から型枠表面（コンクリート表面１８に相当する。）に下ろした垂線を中心とする約４５度の領域（垂線から両側に約２２．５度の角度を隔てた二本の線４７の内側にある領域）４８の外側に、化粧目地部材２４における両脚部３４の先端を位置させる。
【００２３】
このようにして建て付けられた型枠１６の内側にコンクリート１２が打設される。コンクリート１２の養生期間が経過すると、出来上がったコンクリート構造物１０から型枠１６が外される。このとき、化粧目地部材２４の曲面４０を貫通して型枠１６に打ち込まれた無頭釘は、型枠１６を取り外す際にこれと一緒に化粧目地部材２４から取り外される。そして、型枠１６が取り除かれたコンクリート１２の表面には、化粧目地部材２４の型枠接触面３６が露出しており、従来のような溝（図７に示すひび割れ誘発溝１１４）がコンクリート表面１８に残ることはない。したがって、型枠１６を取り除いた後でコンクリート表面１８を仕上げ処理（例えば、窪みをシーリング材で充填する作業）が不要である。また、コンクリート打設後のコンクリート収縮時、ひび割れ誘発部４４から約４５度の開き角の領域４８に発生すると考えられるひび割れ４６は、図示するように、その領域４８内に位置するひび割れ脚部部分によって遮断され、そこからコンクリート表面１８に向かって伸びることが無い。したがって、外部からコンクリート内部に水が進入することもない。さらに、化粧目地部材２４に接するコンクリート表面角部は、化粧目地部材２４の曲面４０によって面取りされるので、このコンクリート角部が欠けることもない。
【００２４】
なお、上述のように、化粧目地部材２４はその一部が常時外気に接触しているため、対候性がよく比較的耐久性の良好な硬質樹脂で形成することが好ましい。好ましい樹脂としては、例えばアクリル樹脂、エチレンオレフィン共重合体、エチレン酢ビ塩ビ共重合体、エチレン塩化ビニル共重合体、エポキシ樹脂、ＥＶＡ樹脂、フッ素樹脂、メタクリルスチレン共重合体、二トリル樹脂、フェノール樹脂、ポリアセタール、ポリアミド、ポリアリレート、ポリブタジエン、ポリブチレン、ポリブチレンテレフタレート、ポリカーボネート、ポリエチレン、ポリエチレンテレフタレート、メタクリル樹脂、ポリプロピレン、ポリスチレン、スチレン共重合体、ブタジエンスチレン樹脂、ポリウレタン、ポリビニルアセタール、ポリ塩化ビニル、ポリ塩化ビニリデン、シリコーン樹脂、キシレン樹脂、変性ポリオレフィン樹脂、ＡＡＳ樹脂、ＡＢＳ樹脂、ＡＣＳ樹脂、アクリル酸エステル共重合体、アミノ樹脂、クマロン樹脂、塩素化ポリエチレン、塩素化ポリエーテル、フッ素樹脂、飽和ポリエステルなどがあげられる。
【００２５】
また、化粧目地部材２４の表面、特に、コンクリート表面１２からコンクリート１２の内部に伸びる側面３８は、コンクリートに密着する高分子材料の粘着層を、型枠１６の建て付け前に塗布してもよい。
【００２６】
さらに、上記実施形態の説明では、鉄筋１４の外側に配置されるひび割れ誘発構造２０について説明したが、図１に示すように、左右両側に配置された２つの鉄筋１４の間に別のひび割れ誘発構造５０を設けてもよい。このひび割れ誘発構造５０は２つのひび割れ誘発部材５２を有する。図示するように、ひび割れ誘発部材５２は、略Ｔ字形状を有し、平坦な板状の固定基部５４と、この固定基部５４のほぼ中央部から該固定基部５４から垂直に伸びる延伸部５６からなる。また、延伸部５６の両面には、例えば亜鉛めっき鋼板の表面にコンクリート１２との密着性に優れたブチルゴム製の粘着層を取り付けることが好ましい。このように構成されたひび割れ誘発構造５０のひび割れ誘発部材５２は、鉄筋１４を挟んでひび割れ誘発部材２２の反対側に対向して配置される。また、各ひび割れ誘発部材５２は、固定基部５４に形成された貫通孔（図示せず）に挿通した結束線を鉄筋１４に縛り付けて固定される。このようなひび割れ誘発構造５０によれば、打設されたコンクリート１２の収縮応力が２つのひび割れ誘発部材５２の間に集まり、図示するように、ひび割れ誘発部材延伸部５６の間にひび割れ６０が発生する。したがって、他の部分にひび割れが発生せず、コンクリート構造物１０の強度が確保される。
【他の実施形態】
【００２７】
上述の実施形態で説明した化粧目地部材の形状は限定的ではなく、例えば図３と図４に示す形状も考えられる。具体的に、図３に示す化粧目地部材２４Ａにおいて、本体部３２は中空四角形の箱型断面を有する。この化粧目地部材２４Ａの場合、両脚部３４の間を繋ぐ連結部６２の中央に、上述した窪み４２に相当する窪み６４を設けることができる。また、図４に示す化粧目地部材２４Ｂは、本体部３２が、型枠接触面３６を有する板状部６６と、この板状部６６と脚部３４を連結する３つの壁６８，７０，７２で構成されている。この化粧目地部材２４Ｂの場合、両脚部３４の付け根部分に形成されている凹状角部７４を上記窪み４２に代えて利用することができる。
【００２８】
また、上述した実施形態では、化粧目地部材に２つの脚部３４を備えているが、その数は限定的ではない。
【００２９】
さらに、上述した実施形態では、ひび割れ誘発部材として略∧形状の本体部を有するものを利用したが、本発明のひび割れ誘発構造に利用できるひび割れ誘発部材の形状は限定的ではなく、現在提案されている種々のひび割れ誘発部材が利用できる。
【００３０】
そして、以上の説明では鉄筋コンクリート構造物に本発明を適用した場合を説明したが、本発明のひび割れ誘発構造は無筋コンクリート構造物にも適用可能である。また、本発明のひび割れ誘発構造は特定のコンクリート構造物又は特定の構造部位に限定して利用できものでなく、あらゆる箇所に利用できる。
【図面の簡単な説明】
【００３１】
【図１】本発明に係るひび割れ誘発構造を示すコンクリート構造物の横断面図。
【図２】図１に示すひび割れ誘発構造の横断面図。
【図３】他の形態に係る化粧目地部材の横断面図。
【図４】他の形態に係る化粧目地部材の横断面図。
【図５】従来のひび割れ誘発目地構造を用いたコンクリート構造物の斜視図。
【図６】従来のひび割れ誘発目地構造を示すコンクリート構造物の横断面図。
【図７】従来のひび割れ誘発部材を含むコンクリート構造物の部分横断面図。
【符号の説明】
【００３２】
１０：コンクリート構造物、１２：コンクリート、１４：鉄筋、１６：型枠、１８：コンクリート表面、２０：ひび割れ誘発構造、２２：ひび割れ誘発部材、２４：化粧目地部材、２６：本体部、２８：フランジ部、３０：粘着層、３２：本体部、３４：脚部、３６：型枠接触面、３８：側面、４０：曲面、４２：窪み、４４：ひび割れ誘発部、４６：線、４８：領域、５０：ひび割れ誘発構造、５２：ひび割れ誘発部材、５４：固定基部、５６：延伸部、６０：ひび割れ。
【図１】
2006052549.tif 000003
【図２】
2006052549.tif 000004
【図３】
2006052549.tif 000005
【図４】
2006052549.tif 000006
【図５】
2006052549.tif 000007
【図６】
2006052549.tif 000008
【図７】
2006052549.tif 000009